(57)【要約】【課題】管楽器をコンパクトに保管できると共に、容易に取り扱うことができるようにする。【解決手段】複数の屈曲管部１１，１６を有する管体２を備え、前記管体２が、隣り合う二つの前記屈曲管部１１，１６の間において互いに回転可能に連結された二つの管体部６，７を備える管楽器１を提供する。【選択図】図２
2017167480.tif 000002
【特許請求の範囲】
【請求項１】
複数の屈曲管部を有する管体を備え、
前記管体が、隣り合う二つの前記屈曲管部の間において互いに回転可能に連結された二つの管体部を備える管楽器。
【請求項２】
二つの前記管体部の連結部分が、前記管体の軸方向において前記管体の中間部分に位置している請求項１に記載の管楽器。
【請求項３】
二つの前記管体部が、それぞれ前記屈曲管部に接続され、前記屈曲管部から離れる方向に延びる延長管部を備え、
二つの前記管体部の相互の回転位置を所定位置とした状態で、二つの前記延長管部の延長方向が同一方向に延びる請求項１又は請求項２に記載の管楽器。
【請求項４】
二つの前記屈曲管部の相互の回転位置を保持する保持部を備える請求項１から請求項３のいずれか一項に記載の管楽器。
【発明の詳細な説明】
【技術分野】
【０００１】
本発明は、管楽器に関する。
【背景技術】
【０００２】
従来、リコーダー、尺八等の管楽器には、例えば特許文献１のように、管体が互いに分離可能に接続された複数の管体部によって構成されたものがある。管体を複数の管体部に分離することで、管楽器をコンパクトに保管することができる。
【先行技術文献】
【特許文献】
【０００３】
【特許文献１】特開２００３−１５０１５０号公報
【発明の概要】
【発明が解決しようとする課題】
【０００４】
しかしながら、保管の際に管体を複数の管体部に分離する従来の管楽器では、その取扱いが面倒である。
例えば、複数の管体部を連結した管楽器では、管体部同士の連結部分における気密性を確保するために、管体部同士の連結部分にグリスやＯリング等のシール構造を設ける必要がある。しかしながら、管体部同士を頻繁に脱着すると、グリスの量が減りやすくなったり、Ｏリングが摩擦によって劣化しやすくなったりする。また、管体部同士の連結部分に汚れが付着しやすくなる。このため、頻繁に管楽器のメンテナンスを行う必要があり、面倒である。また、管楽器を複数の管体部に分離した状態では、一部の管体部を紛失する可能性もある。
【０００５】
本発明は、上述した事情に鑑みてなされたものであって、コンパクトに保管できると共に容易に取り扱うことが可能な管楽器を提供することを目的とする。
【課題を解決するための手段】
【０００６】
本発明は、複数の屈曲管部を有する管体を備え、前記管体が、隣り合う二つの前記屈曲管部の間において互いに回転可能に連結された二つの管体部を備える管楽器を提供する。
【発明の効果】
【０００７】
本発明によれば、二つの管体部を互いに回転させることで管体を折り畳むことができるため、複数の管体部を互いに連結したままで管楽器をコンパクトに保管できる。また、管楽器を保管する際に管体を複数の管体部に分離する必要がないため、管楽器を容易に取り扱うことができる。
【図面の簡単な説明】
【０００８】
【図１】本発明の第一実施形態に係る管楽器の演奏状態の一例を示す平面図である。
【図２】図１の管楽器を側方から見た側面図である。
【図３】図１，２の管体を折り畳んだ状態を示す側面図である。
【図４】本発明の第二実施形態に係る管楽器の演奏状態の一例の要部を示す側面図である。
【図５】図４の管体を折り畳んだ状態を示す側面図である。
【図６】本発明の第三実施形態に係る管楽器の演奏状態の一例を示す平面図である。
【図７】図６の管楽器を側方から見た側面図である。
【図８】図６，７の管体を折り畳んだ状態を示す平面図である。
【図９】本発明の第四実施形態に係る管楽器の演奏状態の一例を示す平面図である。
【図１０】図９の管楽器を側方から見た側面図である。
【図１１】図９，１０の管体を折り畳んだ状態を示す平面図である。
【図１２】本発明の他の実施形態に係る管楽器の要部を示す斜視図である。
【発明を実施するための形態】
【０００９】
〔第一実施形態〕
以下、図１〜３を参照して本発明の第一実施形態について説明する。
図１〜３に示すように、本実施形態の管楽器１は、管体２を備える。管体２は、例えば木材材料、金属材料、樹脂材料のいずれか一つの材料によって形成されてもよいし、例えばこれらの材料を適宜組み合わせた材料によって形成されてもよい。
【００１０】
本実施形態の管体２は、円筒状に形成されている。管体２に形成された複数の音孔３は、管体２の軸方向に間隔をあけて配列されている。複数の音孔３は、図示例のように演奏者の手指で直接開閉されてもよいし、例えば鍵機構（キーシステム）を利用して開閉されてもよい。
【００１１】
管体２の軸方向の第一端には、マウスピース４が設けられている。マウスピース４は、例えば管体２に対して着脱可能に装着されてもよいが、本実施形態では、管体２に一体に形成されている。マウスピース４は、例えば、エアリード、リップリード、シングルリード、ダブルリードであってよい。管体２の軸方向の第二端は、外側に開口している。本実施形態において、管体２の第二端にはベル５が設けられている。
【００１２】
管体２は、管体２の軸線ＣＬの向きを変えるように曲がっている屈曲管部１１，１６を複数有している。管体２は、互いに回転可能に連結された二つの管体部６，７を備えている。二つの管体部６，７は、管体２の軸方向において隣り合う二つの屈曲管部１１，１６の間で互いに回転可能に連結されている。
【００１３】
本実施形態において、連結された二つの屈曲管部１１，１６は、これらの連結部分における管体２の軸線ＣＬを回転軸線Ｒとして互いに回転可能とされている。二つの屈曲管部１１，１６の連結部分は、管体２の軸方向において管体２の中間部分に位置している。
二つの屈曲管部１１，１６を互いに回転可能に連結する構造は任意であってよい。例えば、隣り合う二つの屈曲管部１１，１６の一方の管部の端部が他方の管部の端部に挿入されることで、二つの屈曲管部１１，１６が回転可能に連結されてもよい。二つの屈曲管部１１，１６は、互いに着脱可能であってもよいし、着脱不能であってもよい。
【００１４】
本実施形態において、二つの管体部６，７はそれぞれ屈曲管部１１，１６を一つだけ有している。
二つの管体部６，７は、それぞれ屈曲管部１１，１６に接続され、屈曲管部１１，１６から離れる方向に延びる延長管部１３，１８を備える。延長管部１３，１８の延長方向は、少なくとも延長管部１３，１８の軸方向の両端を結ぶ直線が屈曲管部１１，１６から離れる方向となっていればよい。延長管部１３，１８は、例えばその軸方向の両端を結ぶ直線を複数回跨ぐように複数回曲がっている湾曲管部であってもよいが、本実施形態では、軸線が直線状に延びる直線管部である。各管体部６，７において、延長管部１３，１８は、例えば屈曲管部１１，１６に対して着脱可能とされてもよいが、本実施形態では屈曲管部１１，１６に一体に形成されている。
【００１５】
第一管体部６の延長管部１３は、マウスピース４が配される管体２の第一端を構成している。第二管体部７の延長管部１８は、外側に開口する管体２の第二端を構成している。すなわち、本実施形態の管体２は、二つの延長管部１３，１８の間に二つの屈曲管部１１，１６を配して構成されている。
本実施形態において、二つの管体部６，７の連結部分の回転軸線Ｒは、延長管部１３，１８の延長方向に対して直交している。
【００１６】
本実施形態において、各延長管部１３，１８には、管体２の音孔３が形成されている。複数の音孔３は、各延長管部１３，１８の軸方向に間隔をあけて配列されている。各延長管部１３，１８において、複数の音孔３は同じ方向に開口している。
以下の説明では、延長管部１３，１８の延長方向を管体２の長手方向（Ｘ軸方向）と呼ぶことがある。また、音孔３の開口方向を含む方向を管体２の高さ方向（Ｚ軸方向）と呼び、管体２の長手方向及び高さ方向に直交する方向を管体２の幅方向（Ｙ軸方向）と呼ぶことがある。
【００１７】
本実施形態の管楽器１では、上記した二つの管体部６，７の相互の回転位置を所定位置とした状態で、二つの延長管部１３，１８の延長方向が同一方向に延びている。
本実施形態では、図１，２に示すように、管楽器１を二つの管体部６，７の連結部分の回転軸線Ｒが延びる方向（図１においてＺ軸方向）から見て、二つの延長管部１３，１８が二つの管体部６，７の連結部分から互いに逆向きに延びるように二つの管体部６，７を位置させた第一回転位置の状態において、二つの延長管部１３，１８の延長方向が同一方向に延びている。
また、図３に示すように、管楽器１を二つの管体部６，７の連結部分の回転軸線Ｒが延びる方向から見て、二つの延長管部１３，１８が二つの管体部６，７の連結部分から同じ向きに延びるように二つの管体部６，７を位置させた第二回転位置の状態において、二つの延長管部１３，１８の延長方向が同一方向に延びている。また、第二回転位置の状態においては、二つの延長管部１３，１８が管体２の高さ方向に並ぶように配される。
以下、上記した第一、第二回転位置の状態を実現させるための管体２の具体的な構造について具体的に説明する。
【００１８】
二つの管体部６，７の屈曲管部１１，１６は、それぞれ延長管部１３，１８の延長方向に直交する所定方向に向けて曲がっている。本実施形態において、二つの管体部６，７の屈曲管部１１，１６は、いずれも延長管部１３，１８に対して管体２の高さ方向のみに向けて曲がっている。二つの管体部６，７の屈曲管部１１，１６は、管体２の高さ方向において互いに逆向きに曲がっている。
【００１９】
より具体的に、第一管体部６の屈曲管部１１は、延長管部１３に対して音孔３の開口方向（図２，３においてＺ軸正方向）と逆向き（図２，３においてＺ軸負方向）に曲がっている。このため、第二管体部７との連結部分をなす第一管体部６の屈曲管部１１の端部は、音孔３の開口方向と逆に向いている。一方、第二管体部７の屈曲管部１６は、延長管部１８に対して音孔３の開口方向と同じ方向（Ｚ軸正方向）に曲がっている。このため、第一管体部６との連結部分をなす第二管体部７の屈曲管部１６の端部は、音孔３の開口方向に向いている。
【００２０】
二つの管体部６，７の屈曲管部１１，１６がそれぞれ延長管部１３，１８に対して曲がる角度θ１，θ２（曲げ角度θ１，θ２）は、０度よりも大きく１８０度未満であればよい。本実施形態においては、二つの屈曲管部１１，１６の曲げ角度θ１，θ２が互いに等しい。二つの屈曲管部１１，１６の曲げ角度θ１，θ２は、９０度に設定されている。
これにより、二つの延長管部１３，１８は、互いに管体２の高さ方向にずれて位置する。また、二つの管体部６，７の連結部分の回転軸線Ｒが、延長管部１３，１８の延長方向に直交する。
【００２１】
上記した本実施形態の管体２において、例えば図１，２に示すように、二つの管体部６，７を互いに回転させて、二つの延長管部１３，１８が二つの管体部６，７の連結部分から互いに逆向きに延びるように二つの管体部６，７を位置させた第一回転位置の状態では、二つの延長管部１３，１８が管体２の長手方向に配列される。この状態では、二つの延長管部１３，１８の延長方向がなす角度が１８０度となり、管体２の長手方向（Ｘ軸方向）の寸法が最大となる。この状態では、管楽器を演奏することができる。
管楽器を演奏可能な二つの管体部６，７の相対的な回転位置は、図１，２に例示した状態に限らず、少なくとも第二管体部７の音孔３の上方に第一管体部６が配されていなければよい。例えば、二つの延長管部１３，１８の延長方向がなす角度が９０度となる場合であっても、管楽器１の演奏は可能である。
【００２２】
一方、図３に示すように、二つの管体部６，７を互いに回転させて、二つの延長管部１３，１８が二つの管体部６，７の連結部分から同じ向きに延びるように二つの管体部６，７を位置させた第二回転位置の状態では、二つの延長管部１３，１８の延長方向がなす角度が０度となり、二つの延長管部１３，１８が管体２の高さ方向に配列される。この状態では、管体２の長手方向の寸法が最小となり、管楽器が折り畳まれた状態となる。
【００２３】
本実施形態の管楽器１は、二つの屈曲管部１１，１６の相互の回転位置（第一回転位置、第二回転位置）を保持する保持部３０を備える。保持部３０は、少なくとも図１，２に例示する第一回転位置の状態で二つの屈曲管部１１，１６の相互の回転位置を保持すればよい。本実施形態の保持部３０は、第一回転位置及び図３に例示する第二回転位置の状態で二つの屈曲管部１１，１６の相互の回転位置を保持する。
保持部３０は、任意に構成されてよいが、本実施形態では管体２と別個に形成され、管体２に対して着脱可能である。本実施形態の保持部３０は、管体２の幅方向に間隔をあけて配された一対の支持壁部３１，３１と、一対の支持壁部３１，３１を連結する連結部３２と、を備える。
【００２４】
本実施形態の保持部３０は、一対の支持壁部３１，３１によって二つの管体部６，７を管体２の幅方向から挟み込むことで、二つの管体部６，７の相互の回転を規制する。
一対の支持壁部３１，３１は、例えば二つの管体部６，７全体を管体２の幅方向から挟み込むように形成されてもよいが、本実施形態では、二つの管体部６，７の各一部のみを管体２の幅方向から挟み込むように形成されている。連結部３２は、少なくとも二つの管体部６，７を一対の支持壁部３１，３１で挟み込む状態において、管体部６，７に干渉しない位置に設けられていればよい。本実施形態において、連結部３２は、管体２の高さ方向における一対の支持壁部３１，３１の端部（図示例では下端部）に接続されている。
【００２５】
本実施形態の管楽器１は、二つの管体部６，７の連結部分において管体２の内外の気密を保持するシール構造（不図示）を備える。シール構造は、グリスやＯリングなどの任意の構成であってよく、少なくとも図１，２に例示するように管楽器１を演奏可能な状態において連結部分での気密を保持できればよい。
【００２６】
以上のように構成される本実施形態の管楽器１によれば、二つの管体部６，７が、管体２の軸方向に隣り合う二つの屈曲管部１１，１６の間において回転可能に連結されている。これにより、二つの管体部６，７を互いに回転させることで管体２を折り畳むことができる。したがって、二つの管体部６，７を互いに連結したままで管楽器１をコンパクトに保管できる。
【００２７】
また、本実施形態の管楽器１によれば、管楽器１を保管する際に管体２を二つの管体部６，７に分離する必要がないため、管楽器１を容易に取り扱うことができる。
例えば、二つの管体部６，７の連結部分におけるシール構造の劣化を抑制できる。シール構造が連結部分に塗布されるグリスである場合、グリスの量が減り難くなる。また、シール構造がＯリングである場合、二つの管体部６，７を相互に脱着する場合と比較してＯリングと管体部６，７との摩擦を減らし、Ｏリングの劣化を抑制できる。また、二つの管体部６，７の連結部分に汚れが付着しにくくなる。すなわち、管楽器１のメンテナンスが容易となる。
また、例えば、管楽器１を保管する際に管体２を二つの管体部６，７に分離しないことで、一方の管体部６，７だけを紛失してしまうことも防止できる。
【００２８】
また、本実施形態の管楽器１によれば、二つの管体部６，７の相互の回転位置を保持する保持部３０を備えている。このため、二つの管体部６，７が不意に互いに回転してしまうことを防止できる。したがって、管楽器１を安定した状態で演奏したり、保管したりすることができる。
【００２９】
また、本実施形態の管楽器１によれば、二つの管体部６，７の相互の回転位置を所定位置（第一回転位置、第二回転位置）とした状態で、二つの延長管部１３，１８の延長方向が同一方向に延びている。
具体的には、二つの管体部６，７の相互の回転位置を第一回転位置とした状態で二つの延長管部１３，１８の延長方向が同一方向に延びることで、複数の音孔３を管体２の長手方向に一列に並べることができる。したがって、従来のリコーダーや尺八等の管楽器と同様に、管楽器１の演奏を容易に行うことができる。
また、二つの管体部６，７の相互の回転位置を第二回転位置とした状態で二つの延長管部１３，１８の延長方向が同一方向に延びることで、管楽器１をよりコンパクトに折り畳んで保管することができる。
【００３０】
また、本実施形態の管楽器１によれば、二つの屈曲管部１１，１６の曲げ角度θ１，θ２が互いに等しい。このため、二つの管体部６，７の相互の回転位置を第一回転位置とした状態で、二つの延長管部１３，１８の延長方向を同一方向とすることができる。
また、二つの屈曲管部１１，１６の曲げ角度θ１，θ２がいずれも９０度に設定されている。このため、二つの管体部６，７の相互の回転位置を第二回転位置とした状態で、二つの延長管部１３，１８の延長方向を同一方向とすることができる。
【００３１】
また、本実施形態の管楽器１によれば、二つの管体部６，７の連結部分が、管体２の軸方向において管体２の中間部分に位置している。これにより、本実施形態の管体２をよりコンパクトに折り畳むことができる。
【００３２】
〔第二実施形態〕
次に、図４，５を参照して本発明の第二実施形態について説明する。本実施形態の管楽器は、第一実施形態の管楽器１と比較して、二つの管体部の連結部分の周辺構造のみが異なり、他の構成については同様である。本実施形態では、第一実施形態と同様の構成要素について同一符号を付す等して、その説明を省略する。
【００３３】
図４，５に示すように、本実施形態の管楽器１Ａにおいて、管体２Ａは、第一実施形態と同様に二つの管体部６Ａ，７Ａを備える。また、各管体部６Ａ，７Ａは、第一実施形態と同様に屈曲管部１１Ａ，１６Ａ，１７Ａと延長管部１３Ａ，１８Ａとを備える。
ただし、本実施形態の管体２Ａでは、第二管体部７Ａ（一方の管体部）が二つの屈曲管部１６Ａ，１７Ａを有する。第二管体部７Ａの二つの屈曲管部１６Ａ，１７Ａは、延長管部１８Ａの端部から管体２Ａの軸方向に順番に配列されている。第二管体部７Ａにおいて、延長管部１８Ａとこれに連なる第一屈曲管部１６Ａとは、例えば着脱可能であってもよいが、本実施形態では一体に形成されている。また、第一屈曲管部１６Ａとこれに連なる第二屈曲管部１７Ａとは、例えば着脱可能であってもよいが、本実施形態では一体に形成されている。
【００３４】
本実施形態の管体２Ａでは、第一管体部６Ａ（他方の管体部）の屈曲管部１１Ａと第二管体部７Ａの第二屈曲管部１７Ａとが、互いに回転可能に連結されている。第一管体部６Ａの屈曲管部１１Ａと第二管体部７Ａの第二屈曲管部１７Ａとは、第一実施形態と同様に、これらの連結部分における管体２Ａの軸線ＣＬＡを回転軸線ＲＡとして互いに回転可能とされている。本実施形態において、二つの管体部６Ａ，７Ａの連結部分の回転軸線ＲＡは、延長管部１３Ａ，１８Ａの延長方向に対して傾斜している（直交していない）。
【００３５】
本実施形態では、図４に示すように、管楽器１Ａを二つの管体部６Ａ，７Ａの連結部分の回転軸線ＲＡが延びる方向から見て、二つの延長管部１３Ａ，１８Ａが二つの管体部６Ａ，７Ａの連結部分から互いに逆向きに延びるように二つの管体部６Ａ，７Ａを位置させた第一回転位置の状態において、二つの延長管部１３Ａ，１８Ａの延長方向が同一方向に延びている。特に、本実施形態では、第一回転位置の状態において、二つの延長管部１３Ａ，１８Ａの延長方向（軸線）が同一の直線上に位置している。
また、本実施形態では、図５に示すように、管楽器１Ａを二つの管体部６Ａ，７Ａの連結部分の回転軸線ＲＡが延びる方向から見て、二つの延長管部１３Ａ，１８Ａが二つの管体部６Ａ，７Ａの連結部分から同じ向きに延びるように二つの管体部６Ａ，７Ａを位置させた第二回転位置の状態において、二つの延長管部１３Ａ，１８Ａが管体２Ａの高さ方向に並ぶように配される。
以下、上記した第一、第二回転位置の状態を実現させるための管体２Ａの具体的な構造について具体的に説明する。
【００３６】
本実施形態において、第二管体部７Ａの第一屈曲管部１６Ａは、延長管部１８Ａに対して管体２Ａの高さ方向（Ｚ軸方向）のみに向けて曲がっている。第二管体部７Ａの第二屈曲管部１７Ａは、第一屈曲管部１６Ａに対して管体２Ａの高さ方向のみに向けて曲がっている。また、第二屈曲管部１７Ａは、管体２Ａの高さ方向において第一屈曲管部１６Ａと逆向きに曲がっている。
第一管体部６Ａの屈曲管部１１Ａは、延長管部１３Ａに対して管体２Ａの高さ方向のみに向けて曲がっている。第二管体部７Ａの第一屈曲管部１６Ａと、第一管体部６Ａの屈曲管部１１Ａとは、管体２Ａの高さ方向において互いに同じ向きに曲がっている。
【００３７】
第一管体部６Ａの屈曲管部１１Ａが延長管部１３Ａに対して曲がる角度θＡ１（第一曲げ角度θＡ１）、及び、第二管体部７Ａの第一屈曲管部１６Ａが延長管部１８Ａに対して曲がる角度θＡ２（第二曲げ角度θＡ２）は、二つの管体部６Ａ，７Ａの連結部分の回転軸線ＲＡが延長管部１３Ａ，１８Ａの延長方向に対して傾斜するように設定されている。第一、第二曲げ角度θＡ１，θＡ２は、それぞれ０度よりも大きく１８０度未満であればよい。第一、第二曲げ角度θＡ１，θＡ２は、例えば互いに等しくてもよいが、本実施形態では互いに異なっている。図示例においては、第二曲げ角度θＡ２が９０度に設定され、第一曲げ角度θＡ１が第二曲げ角度θＡ２よりも小さい角度に設定されている。
第二管体部７Ａの第二屈曲管部１７Ａが第一屈曲管部１６Ａに対して曲がる角度θＡ３（第三曲げ角度θＡ３）は、第一、第二曲げ角度θＡ１，θＡ２を足し合わせた角度と等しい。
【００３８】
本実施形態の管体２Ａにおいて、図４に示すように、二つの管体部６Ａ，７Ａを互いに回転させて、二つの延長管部１３Ａ，１８Ａが二つの管体部６Ａ，７Ａの連結部分から互いに逆向きに延びるように二つの管体部６Ａ，７Ａを位置させた第一回転位置の状態では、二つの延長管部１３Ａ，１８Ａが管体２Ａの長手方向に配列される。この状態では、二つの延長管部１３Ａ，１８Ａの延長方向がなす角度が１８０度となり、管体２Ａの長手方向（Ｘ軸方向）の寸法が最大となる。また、この状態では、二つの延長管部１３Ａ，１８Ａの延長方向（軸線）が同一の直線上に位置し、管楽器１Ａの演奏が可能な状態の一例となる。
【００３９】
一方、図５に示すように、二つの管体部６Ａ，７Ａを互いに回転させて、二つの延長管部１３Ａ，１８Ａが二つの管体部６Ａ，７Ａの連結部分から同じ向きに延びるように二つの管体部６Ａ，７Ａを位置させた第二回転位置の状態では、管体２の高さ方向から見て二つの延長管部１３Ａ，１８Ａの延長方向がなす角度が０度となり、二つの延長管部１３Ａ，１８Ａが管体２Ａの高さ方向に配列される。この状態では、管体２Ａの長手方向の寸法が最小となり、管楽器１Ａが折り畳まれた状態となる。
【００４０】
本実施形態の管楽器１Ａは、第一実施形態と同様の保持部及びシール構造を備えてもよい。
【００４１】
本実施形態の管楽器１Ａによれば、第一実施形態と同様の効果を奏する。
また、本実施形態の管楽器１Ａでは、第一管体部６Ａが一つの屈曲管部１１Ａを有し、第二管体部７Ａが二つの屈曲管部１６Ａ，１７Ａを有し、第一管体部６Ａの屈曲管部１１Ａ及び第二管体部７Ａの二つの屈曲管部１６Ａ，１７Ａの第一〜第三曲げ角度θＡ１〜θＡ３が適切に設定されている。特に、第三曲げ角度θＡ３が第一、第二曲げ角度θＡ１，θＡ２を足し合わせた角度と等しい。これにより、二つの管体部６Ａ，７Ａを第一回転位置に配した状態において、二つの延長管部１３Ａ，１８Ａの延長方向（軸線）を同一の直線上に位置させることができる。したがって、従来のリコーダーや尺八等の管楽器と同様に、管楽器１Ａの演奏を容易に行うことができる。
【００４２】
また、本実施形態の管楽器１Ａでは、二つの管体部６Ａ，７Ａの連結部分の回転軸線ＲＡが延長管部１３Ａ，１８Ａの延長方向に対して傾斜している（直交していない）。このため、管体２Ａを折り畳む際に二つの延長管部１３Ａ，１８Ａが互いに干渉することを防ぎ、二つの延長管部１３Ａ，１８Ａを管体２Ａの高さ方向に配列することができる。これにより、管体２Ａを折り畳んだ状態における管体２Ａの幅寸法を小さく抑えて、管楽器１Ａをコンパクトに保管することができる。
【００４３】
〔第三実施形態〕
次に、図６〜８を参照して本発明の第三実施形態について説明する。本実施形態の管楽器は、第一、第二実施形態の管楽器と比較して、二つの管体部の連結部分の周辺構造のみが異なり、他の構成については同様である。本実施形態では、第一、第二実施形態と同様の構成要素について同一符号を付す等して、その説明を省略する。
【００４４】
図６〜８に示すように、本実施形態の管楽器１Ｂにおいて、管体２Ｂは、第一、第二実施形態と同様に、二つの管体部６Ｂ，７Ｂを備える。各管体部６Ｂ，７Ｂは、第一、第二実施形態と同様に、屈曲管部１１Ｂ，１２Ｂ，１６Ｂと延長管部１３Ｂ，１８Ｂとを備える。
本実施形態の管体２Ｂでは、第一管体部６Ｂ（一方の管体部）が二つの屈曲管部１１Ｂ，１２Ｂを有する。第一管体部６Ｂの二つの屈曲管部１１Ｂ，１２Ｂは、延長管部１３Ｂの端部から管体２Ｂの軸方向に順番に配列されている。第一管体部６Ｂにおいて、延長管部１３Ｂとこれに連なる第一屈曲管部１１Ｂとは、例えば着脱可能であってもよいが、本実施形態では一体に形成されている。また、第一屈曲管部１１Ｂとこれに連なる第二屈曲管部１２Ｂとは、例えば着脱可能であってもよいが、本実施形態では一体に形成されている。
【００４５】
本実施形態の管体２Ｂでは、第二管体部７Ｂ（他方の管体部）の屈曲管部１６Ｂと第一管体部６Ｂの第二屈曲管部１２Ｂとが、互いに回転可能に連結されている。第二管体部７Ｂの屈曲管部１６Ｂと第一管体部６Ｂの第二屈曲管部１２Ｂとは、第一実施形態と同様に、これらの連結部分における管体２Ｂの軸線ＣＬＢを回転軸線ＲＢとして互いに回転可能とされている。本実施形態において、二つの管体部６Ｂ，７Ｂの連結部分の回転軸線ＲＢは、延長管部１３Ｂ，１８Ｂの延長方向に対して直交している。
【００４６】
本実施形態では、図６，７に示すように、管楽器１Ｂを二つの管体部６Ｂ，７Ｂの連結部分の回転軸線ＲＢが延びる方向から見て、二つの延長管部１３Ｂ，１８Ｂが二つの管体部６Ｂ，７Ｂの連結部分から互いに逆向きに延びるように二つの管体部６Ｂ，７Ｂを位置させた第一回転位置の状態において、二つの延長管部１３Ｂ，１８Ｂの延長方向が同一方向に延びている。特に、本実施形態では、第一回転位置の状態において、二つの延長管部１３Ｂ，１８Ｂの延長方向（軸線）が同一の直線上に位置している。
また、本実施形態では、図８に示すように、管楽器１Ｂを二つの管体部６Ｂ，７Ｂの連結部分の回転軸線ＲＢが延びる方向から見て、二つの延長管部１３Ｂ，１８Ｂが二つの管体部６Ｂ，７Ｂの連結部分から同じ向きに延びるように二つの管体部６Ｂ，７Ｂを位置させた第二回転位置の状態において、二つの延長管部１３Ｂ，１８Ｂの延長方向が同一方向に延びている。また、第二回転位置の状態において、二つの延長管部１３Ｂ，１８Ｂは管体２Ｂの幅方向に並ぶように配される。
以下、上記した第一、第二回転位置の状態を実現させるための管体２Ｂの具体的な構造について具体的に説明する。
【００４７】
本実施形態において、第一管体部６Ｂの第一屈曲管部１１Ｂは、延長管部１３Ｂに対して管体２Ｂの高さ方向（Ｚ軸方向）のみに向けて曲がっている。
第一管体部６Ｂの第二屈曲管部１２Ｂは、第一屈曲管部１１Ｂに対して管体２Ｂの高さ方向に向けて曲がっている。第二屈曲管部１２Ｂは、管体２Ｂの高さ方向において第一屈曲管部１１Ｂと逆向きに曲がっている。また、第二屈曲管部１２Ｂは、第一屈曲管部１１Ｂに対して管体２Ｂの幅方向（Ｙ軸方向）に向けて曲がっている。
第二管体部７Ｂの屈曲管部１６Ｂは、延長管部１８Ｂに対して管体２Ｂの高さ方向に向けて曲がっている。第二管体部７Ｂの屈曲管部１６Ｂは、管体２Ｂの高さ方向において第一屈曲管部１１Ｂと同じ向きに曲がっている。また、第二管体部７Ｂの屈曲管部１６Ｂは、延長管部１８Ｂに対して管体２Ｂの幅方向に向けて曲がっている。第二管体部７Ｂの屈曲管部１６Ｂは、管体２Ｂの幅方向において第二屈曲管部１２Ｂと同じ向きに曲がっている。
【００４８】
第一管体部６Ｂの第一屈曲管部１１Ｂが延長管部１３Ｂに対して管体２Ｂの高さ方向に曲がる角度θＢ１（第一曲げ角度θＢ１）、及び、第二管体部７Ｂの屈曲管部１６Ｂが延長管部１８Ｂに対して管体２Ｂの高さ方向に曲がる角度θＢ２（第二曲げ角度θＢ２）は、二つの管体部６Ｂ，７Ｂの連結部分の回転軸線ＲＢが延長管部１３Ｂ，１８Ｂの延長方向に対して直交するように設定されている。第一、第二曲げ角度θＢ１，θＢ２は、いずれも９０度に設定されている。
第一管体部６Ｂの第二屈曲管部１２Ｂが第一屈曲管部１１Ｂに対して管体２Ｂの高さ方向に曲がる角度（第三曲げ角度）は、第一、第二曲げ角度θＢ１，θＢ２を足し合わせた角度と等しい。すなわち、第三曲げ角度は１８０度に設定されている。
第一管体部６Ｂの第二屈曲管部１２Ｂが延長管部１３Ｂに対して管体２Ｂの幅方向に曲がる角度（第四曲げ角度θＢ４）と、第二管体部７Ｂの屈曲管部１６Ｂが延長管部１８Ｂに対して管体２Ｂの幅方向に曲がる角度（第五曲げ角度θＢ５）とは、例えば互いに異なってもよいが、本実施形態では互いに等しい。第四、第五曲げ角度θＢ４，θＢ５は、いずれも０度よりも大きく９０度未満であればよい。
【００４９】
本実施形態の管体２Ｂにおいて、図６，７に示すように、二つの管体部６Ｂ，７Ｂを互いに回転させて、二つの延長管部１３Ｂ，１８Ｂが二つの管体部６Ｂ，７Ｂの連結部分から互いに逆向きに延びるように二つの管体部６Ｂ，７Ｂを位置させた第一回転位置の状態では、二つの延長管部１３Ｂ，１８Ｂが管体２Ｂの長手方向に配列される。この状態では、二つの延長管部１３Ｂ，１８Ｂの延長方向がなす角度が１８０度となり、管体２Ｂの長手方向（Ｘ軸方向）の寸法が最大となる。また、この状態では、二つの延長管部１３Ｂ，１８Ｂの延長方向（軸線）が同一の直線上に位置し、管楽器１Ｂの演奏が可能な状態の一例となる。
一方、図８に示すように、二つの管体部６Ｂ，７Ｂを互いに回転させて、二つの延長管部１３Ｂ，１８Ｂが二つの管体部６Ｂ，７Ｂの連結部分から同じ向きに延びるように二つの管体部６Ｂ，７Ｂを位置させた第二回転位置の状態では、二つの延長管部１３Ｂ，１８Ｂの延長方向がなす角度が０度となり、二つの延長管部１３Ｂ，１８Ｂが管体２Ｂの幅方向に配列される。この状態では、管体２Ｂの長手方向の寸法が最小となり、管楽器１Ｂが折り畳まれた状態となる。
【００５０】
本実施形態の管楽器１Ｂは、第一実施形態と同様の保持部及びシール構造を備えてもよい。
【００５１】
本実施形態の管楽器１Ｂによれば、第一実施形態と同様の効果を奏する。
また、本実施形態の管楽器１Ｂでは、第一管体部６Ｂが二つの屈曲管部１１Ｂ，１２Ｂを有し、第二管体部７Ｂが一つの屈曲管部１６Ｂを有し、第一管体部６Ｂの二つの屈曲管部１１Ｂ，１２Ｂ及び第二管体部７Ｂの屈曲管部１６Ｂの第一〜第五曲げ角度θＢ１，θＢ２，θＢ４，θＢ５が適切に設定されている。特に、第三曲げ角度が第一、第二曲げ角度θＢ１，θＢ２を足し合わせた角度と等しい。これにより、二つの管体部６Ｂ，７Ｂを第一回転位置に配した状態において、二つの延長管部１３Ｂ，１８Ｂの延長方向（軸線）を同一の直線上に位置させることができる。したがって、従来のリコーダーや尺八等の管楽器と同様に、管楽器１Ｂの演奏を容易に行うことができる。
【００５２】
また、本実施形態の管楽器１Ｂでは、二つの管体部６Ｂ，７Ｂの連結部分の回転軸線ＲＢが延長管部１３Ｂ，１８Ｂの延長方向に直交する方向（管体２Ｂの高さ方向）に延びており、また、第一管体部６Ｂの第二屈曲管部１２Ｂと第二管体部７Ｂの屈曲管部１６Ｂとが、管体２Ｂの幅方向において互いに同じ向きに曲がっている。このため、管体２Ｂを折り畳んだ状態で、二つの延長管部１３Ｂ，１８Ｂの延長方向が同一方向に延びるように、二つの延長管部１３Ｂ，１８Ｂを管体２Ｂの幅方向に配列できる。これにより、管体２Ｂを折り畳んだ状態における管体２Ｂの高さ寸法及び幅寸法を小さく抑えて、管楽器１Ｂをコンパクトに保管することができる。
【００５３】
〔第四実施形態〕
次に、図９〜１１を参照して本発明の第四実施形態について説明する。本実施形態の管楽器は、第一〜第三実施形態の管楽器と比較して、二つの管体部の連結部分の周辺構造のみが異なり、他の構成については同様である。本実施形態では、第一〜第三実施形態と同様の構成要素について同一符号を付す等して、その説明を省略する。
【００５４】
図９〜１１に示すように、本実施形態の管楽器１Ｃにおいて、管体２Ｃは、第一〜第三実施形態と同様に、二つの管体部６Ｃ，７Ｃを備える。各管体部６Ｃ，７Ｃは、第一〜第三実施形態と同様に屈曲管部１１Ｃ，１２Ｃ，１６Ｃと延長管部１３Ｃ，１８Ｃとを備える。
本実施形態の管体２Ｃでは、第三実施形態と同様に、第一管体部６Ｃ（一方の管体部）が二つの屈曲管部１１Ｃ，１２Ｃを有する。第一管体部６Ｃにおいて、延長管部１３Ｃとこれに連なる第一屈曲管部１１Ｃとは、例えば着脱可能であってもよいが、本実施形態では一体に形成されている。
本実施形態において、第一屈曲管部１１Ｃとこれに連なる第二屈曲管部１２Ｃとは、互いに回転可能に連結されている。第一屈曲管部１１Ｃと第二屈曲管部１２Ｃとは、これらの連結部分における管体２Ｃの軸線ＣＬＣを回転軸線ＲＣ１として互いに回転可能とされている。本実施形態において、これら二つの屈曲管部１１Ｃ，１２Ｃの連結部分の回転軸線ＲＣ１（第一回転軸線ＲＣ１）は、延長管部１３Ｃの延長方向に対して直交している。
【００５５】
本実施形態の管体２Ｃでは、第二管体部７Ｃ（他方の管体部）の屈曲管部１６Ｃと第一管体部６Ｃの第二屈曲管部１２Ｃとが、第三実施形態と同様に、互いに回転可能に連結されている。本実施形態において、二つの管体部６Ｃ，７Ｃの連結部分の回転軸線ＲＣ２（第二回転軸線ＲＣ２）は、延長管部１３Ｃ，１８Ｃの延長方向に対して直交している。また、第二回転軸線ＲＣ２は、前述の第一回転軸線ＲＣ１と平行している。
【００５６】
本実施形態では、図９，１０に示すように、管楽器１Ｃを二つの回転軸線ＲＣ１，ＲＣ２が延びる方向から見て、二つの延長管部１３Ｃ，１８Ｃが二つの管体部６Ｃ，７Ｃの連結部分から互いに逆向きに延びるように二つの管体部６Ｃ，７Ｃを位置させた第一回転位置の状態において、二つの延長管部１３Ｃ，１８Ｃの延長方向が同一方向に延びている。特に、本実施形態では、第一回転位置の状態において、二つの延長管部１３Ｃ，１８Ｃの延長方向（軸線）が同一の直線上に位置している。
また、本実施形態では、図１１に示すように、管楽器１Ｃを二つの回転軸線ＲＣ１，ＲＣ２が延びる方向から見て、二つの延長管部１３Ｃ，１８Ｃが二つの管体部６Ｃ，７Ｃの連結部分から同じ向きに延びるように二つの管体部６Ｃ，７Ｃを位置させた第二回転位置の状態において、二つの延長管部１３Ｃ，１８Ｃの延長方向が同一方向に延びている。また、第二回転位置の状態において、二つの延長管部１３Ｃ，１８Ｃが管体２Ｃの幅方向に並ぶように配される。
以下、上記した第一、第二回転位置の状態を実現させるための管体２Ｃの具体的な構造について具体的に説明する。
【００５７】
本実施形態において、第一管体部６Ｃの第一屈曲管部１１Ｃは、延長管部１３Ｃに対して管体２Ｃの高さ方向（Ｚ軸方向）のみに向けて曲がっている。
第一管体部６Ｃの第二屈曲管部１２Ｃは、第一屈曲管部１１Ｃに対して管体２Ｃの高さ方向のみに曲がっている。第二屈曲管部１２Ｃは、管体２Ｃの高さ方向において第一屈曲管部１１Ｃと逆向きに曲がっている。
第二管体部７Ｃの屈曲管部１６Ｃは、延長管部１８Ｃに対して管体２Ｃの高さ方向のみに曲がっている。第二管体部７Ｃの屈曲管部１６Ｃは、管体２Ｃの高さ方向において第一屈曲管部１１Ｃと同じ向きに曲がっている。
【００５８】
第一管体部６Ｃの第一屈曲管部１１Ｃが延長管部１３Ｃに対して曲がる角度θＣ１（第一曲げ角度θＣ１）、及び、第二管体部７Ｃの屈曲管部１６Ｃが延長管部１８Ｃに対して曲がる角度θＣ２（第二曲げ角度θＣ２）は、二つの回転軸線ＲＣ１，ＲＣ２が延長管部１３Ｃ，１８Ｃの延長方向に対して直交するように設定されている。第一、第二曲げ角度θＣ１，θＣ２は、いずれも９０度に設定されている。
第一管体部６Ｃの第二屈曲管部１２Ｃが第一屈曲管部１１Ｃに対して曲がる角度（第三曲げ角度）は、第一、第二曲げ角度θＣ１，θＣ２を足し合わせた角度と等しい。すなわち、第三曲げ角度は１８０度に設定されている。
【００５９】
本実施形態の管体２Ｃにおいて、図９，１０に示すように、第一管体部６Ｃの第二屈曲管部１２Ｃと第二屈曲管部７Ｃの屈曲管部１６Ｃとを互いに回転させると共に、第一管体部６Ｃの二つの屈曲管部１１Ｃ，１２Ｃを互いに回転させて、二つの延長管部１３Ｃ，１８Ｃが二つの管体部６Ｃ，７Ｃの連結部分から互いに逆向きに延びるように二つの管体部６Ｃ，７Ｃを位置させた第一回転位置の状態では、二つの延長管部１３Ｃ，１８Ｃが管体２Ｃの長手方向に配列される。この状態では、二つの延長管部１３Ｃ，１８Ｃの延長方向がなす角度が１８０度となり、管体２Ｃの長手方向（Ｘ軸方向）の寸法が最大となる。また、この状態では、二つの延長管部１３Ｃ，１８Ｃの延長方向（軸線）が同一の直線上に位置し、管楽器１Ｃの演奏が可能な状態の一例となる。
【００６０】
一方、図１１に示すように、第一管体部６Ｃの第二屈曲管部１２Ｃと第二屈曲管部７Ｃの屈曲管部１６Ｃとを互いに回転させると共に、第一管体部６Ｃの二つの屈曲管部１１Ｃ，１２Ｃを互いに回転させて、二つの延長管部１３Ｃ，１８Ｃが二つの管体部６Ｃ，７Ｃの連結部分から同じ向きに延びるように二つの管体部６Ｃ，７Ｃを位置させた第二回転位置の状態では、二つの延長管部１３Ｃ，１８Ｃの延長方向がなす角度が０度となり、二つの延長管部１３Ｃ，１８Ｃが管体２Ｃの幅方向に配列される。この状態では、管体２Ｃの長手方向の寸法が最小となり、管楽器１Ｃが折り畳まれた状態となる。
【００６１】
本実施形態の管楽器１Ｃは、第一実施形態と同様の保持部及びシール構造を備えてもよい。
【００６２】
本実施形態の管楽器１Ｃによれば、第一実施形態と同様の効果を奏する。
また、本実施形態の管楽器１Ｃでは、第三実施形態と同様に、第一管体部６Ｃが二つの屈曲管部１１Ｃ，１２Ｃを有し、第二管体部７Ｃが一つの屈曲管部１６Ｃを有し、第一管体部６Ｃの二つの屈曲管部１１Ｃ，１２Ｃ及び第二管体部７Ｃの屈曲管部１６Ｃの第一〜第三曲げ角度θＣ１，θＣ２が適切に設定されている。特に、第三曲げ角度が第一、第二曲げ角度θＣ１，θＣ２を足し合わせた角度と等しいため、二つの管体部６Ｃ，７Ｃを第一回転位置に配した状態において、二つの延長管部１３Ｃ，１８Ｃの延長方向（軸線）を同一の直線上に位置させることができる。
【００６３】
また、本実施形態の管楽器１Ｃでは、管体２Ｃの軸方向に配列された三つの屈曲管部１１Ｃ，１２Ｃ，１６Ｃが互いに回転可能に連結されている、すなわち、管体２Ｃが二つの回転軸線ＲＣ１，ＲＣ２を有する。また、これら二つの回転軸線ＲＣ１，ＲＣ２がいずれも延長管部１３Ｃ，１８Ｃの延長方向に直交する方向（管体２Ｃの高さ方向）に延びている。このため、管体２Ｃを折り畳んだ状態で、二つの延長管部１３Ｃ，１８Ｃの延長方向が同一方向に延びるように、二つの延長管部１３Ｃ，１８Ｃを幅方向に配列できる。これにより、管体２Ｃを折り畳んだ状態における管体２Ｃの高さ寸法及び幅寸法を小さく抑えて、管楽器１Ｃをコンパクトに保管することができる。
【００６４】
以上、本発明について詳細に説明したが、本発明は上記実施形態に限定されるものではなく、本発明の趣旨を逸脱しない範囲において種々の変更を加えることが可能である。
【００６５】
第一、第二、第四実施形態の管楽器において、二つの管体部の各屈曲管部は、例えば延長管部に対して管体の幅方向のみに向けて曲がっていてもよい。
【００６６】
本発明の管楽器において、隣り合う二つの屈曲管部の相互の回転位置を保持する保持部は、例えば図１２に示すように、二つの屈曲管部１１Ｄ，１６Ｄを回転可能に連結する連結構造を利用して構成されてもよい。
図１２に例示する保持部３０Ｄは、周方向の一部を切り欠いた筒状に形成された一方の屈曲管部１１Ｄの端部と、一方の屈曲管部１１Ｄの端部に挿入された他方の屈曲管部１６Ｄの端部と、を備える。この構成では、不図示の締め付け具によって一方の屈曲管部１１Ｄの端部を締め付けて一方の屈曲管部１１Ｄの端部の径寸法を小さくすることで、二つの屈曲管部１１Ｄ，１６Ｄが相互に回転することを防止できる。
【００６７】
また、本発明の管楽器において、保持部は、例えば一方の屈曲管部の端部の内周に設けられた係止部と、一方の屈曲管部の端部に挿入される他方の屈曲管部の端部の外周に設けられて係止部に係止する被係止部と、を備えてもよい。ここで、係止部及び被係止部の一方は凸部であり、他方は凸部が挿入される凹部である。また、係止部及び被係止部は、二つの屈曲管部を相互に回転させようとする所定以上の力が二つの屈曲管部に作用した際に、係止部と各被係止部との係止状態が解除されるように形成される。
係止部及び被係止部の一方は、屈曲管部の周方向の所定位置に一つ設けられればよい。係止部及び被係止部の他方は、屈曲管部の周方向の所定位置に一つだけ設けられてもよいし、屈曲管部の周方向に間隔をあけて複数配列されてもよい。係止部及び被係止部の他方が複数配列される場合、二つの屈曲管部を複数の回転位置において保持することができる。
【００６８】
本発明の管楽器は、管体が例えば管体の軸方向に配列された三つ以上の管体部を備えてもよい。この場合でも、管体の軸方向に隣り合う二つの管体部が二つの屈曲管部の間において互いに回転可能に連結されればよい。
【００６９】
本発明の管楽器は、木管楽器のように音孔を有する管楽器に適用されることに限らず、例えば金管楽器のように音孔を有さない管楽器に適用することも可能である。
【符号の説明】
【００７０】
１，１Ａ，１Ｂ，１Ｃ…管楽器、２，２Ａ，２Ｂ，２Ｃ…管体、６，６Ａ，６Ｂ，６Ｃ，７，７Ａ，７Ｂ，７Ｃ…管体部、１１，１１Ａ，１１Ｂ，１１Ｃ，１１Ｄ，１２Ｂ，１２Ｃ，１６，１６Ａ，１６Ｂ，１６Ｃ，１６Ｄ，１７Ａ…屈曲管部、１３，１３Ａ，１３Ｂ，１３Ｃ，１８，１８Ａ，１８Ｂ，１８Ｃ…延長管部、３０，３０Ｄ…保持部
【図１】
2017167480.tif 000003
【図２】
2017167480.tif 000004
【図３】
2017167480.tif 000005
【図４】
2017167480.tif 000006
【図５】
2017167480.tif 000007
【図６】
2017167480.tif 000008
【図７】
2017167480.tif 000009
【図８】
2017167480.tif 000010
【図９】
2017167480.tif 000011
【図１０】
2017167480.tif 000012
【図１１】
2017167480.tif 000013
【図１２】
2017167480.tif 000014